(57)【要約】【課題】スキー、スノーボード、スケート等、普段の服装に近い格好で行うレジャー用のスポーツ用衣服において、転倒時の衝撃吸収性を確保しつつ、硬いパッドによる不快感や動きの阻害が無く身体にフィットし、また、パッドの重さによる衣服の重量増を防いで軽量で軽快なスポーツ用衣服を提供すること。【解決手段】多数個の球状の発泡体を密封した１又は２以上の袋体５を、衣服の内側に設けた１又は２以上のポケット４に収納しているスポーツ用衣服Ａ。【選択図】図１
2007107176.tif 000002
【特許請求の範囲】
【請求項１】
多数個の球状の発泡体を密封した１又は２以上の袋体を、衣服の内側に設けた１又は２以上のポケットに収納していることを特徴とするスポーツ用衣服。
【請求項２】
球状の発泡体の平均粒径が０．１ｍｍ〜１ｍｍの範囲内にある請求項１に記載のスポーツ用衣服。
【請求項３】
各袋体は複数の部屋に分割して仕切られ、各部屋に発泡体が分散して収納されていることを特徴とする請求項１又は２に記載のスポーツ用衣服。
【請求項４】
胴部を覆う衣服として用いられ、少なくとも背骨の部位に袋体を収納したことを特徴とする請求項１乃至３の何れか１項に記載のスポーツ用衣服。
【請求項５】
腰部を覆う衣服として用いられ、少なくとも尾てい骨の部位に袋体を収納したことを特徴とする請求項１乃至３の何れか１項に記載のスポーツ用衣服。
【請求項６】
頭部に被る帽子として用いられ、少なくとも後頭部の部位に袋体を収納したことを特徴とする請求項１乃至３の何れか１項に記載のスポーツ用衣服。
【発明の詳細な説明】
【技術分野】
【０００１】
この発明は、スキーやスノーボード等の雪上遊技等のレジャースポーツを行う場合に着用し、転倒した時に身体を保護するためのスポーツ用衣服に関する。
【背景技術】
【０００２】
スキーやスノーボードなどの雪上遊技を行う場合に、転倒による事故から身体を守るための防具として、身体の保護せんとする部位に衝撃吸収用の保護パットを設けたスポーツ用衣服を着用することが行われており、特に、上述したスキーやスノーボード等の雪上遊技においては、後方への転倒の発生が生じやすく、このような後方への転倒による後頭部や脊髄の損傷が重大な事故を引き起こすことになるので、スキーやスノーボードなどの雪上遊技用のスポーツ用衣服は、上着の胴部における少なくとも背中の部位に脊髄保護パットを設け、また、帽子は後頭部に保護パッドを設けた構造になっている。
【０００３】
上記した従来のスポーツ用衣服は、脊髄保護パットを上着の胴部で背中の部位に、上下に連続した長い状態や、複数に分割して所定の間隔で上下に並べた配置で設けられ、この上着を着用することによって、脊髄保護パットで脊髄の首下部分から尾てい骨の範囲を保護するようになっている（例えば、特許文献１参照）。
【０００４】
また、脊髄保護パッドが激しい運動に対してずれないように腰ベルトを用いたものや（例えば、特許文献２参照）、転倒発生時に脊髄のみならず胸部や両側脇腹部をも保護できるようにしたものもある（例えば、特許文献３参照）。
【０００５】
更に、転倒時の後頭部保護用としては、主に後頭部付近に発泡ウレタンのような衝撃吸収部材を配したものがある（例えば、特許文献４参照）。
【０００６】
上記したスポーツ用衣服において、転倒時の衝撃吸収を行うパッド用の材料としては柔軟性と弾力性を持つものが種々使用されているが、エチレンビニールアセテート（Ethylene-Vinyl Acetate  以下、ＥＶＡという）を用い、これを板状や積層体としてパッドとして衝撃吸収性に優れたスポーツ用衣服も提案されている。
【０００７】
上記ＥＶＡを利用したものとしては、その衝撃吸収性が優れた利点を生かして、サッカー競技用プロテクターや（例えば、特許文献５参照）、スポーツ用ストッキング（例えば、特許文献６参照）など激しい衝撃が加えられるスポーツ競技用衣服に用いられている。
【特許文献１】特開２００２−３０５０２号公報（図２ｂ、図４ｂ）
【特許文献２】実用新案登録第３１０００６９号公報（図１、図２、図３）
【特許文献３】実用新案登録第３１０３３９３号公報（図１、図２、図３）
【特許文献４】特開平９−２９９５３９号公報（図１、図４、図６）
【特許文献５】実用新案登録第３０８５１９４号公報（請求項１、段落０００４）
【特許文献６】特開２００６−６３４８３号公報（請求項５）
【発明の開示】
【発明が解決しようとする課題】
【０００８】
ところで、従来のスポーツ用衣服に用いられているパッドは、転倒時の人体への衝撃吸収性を考慮し、比較的硬質な発泡プラスチックやＥＶＡなどを板状にしたものが用いられており、衝撃吸収性を高めるためには、パッド部分の厚みを厚くすれば良いが、それだけパッド部分も重くなり、衣服全体の重量が増えて軽快感が失われることになる。
【０００９】
例えば自転車のＢＭＸやコンクリート上で行うローラスケート等、危険を伴ったり本格的なスポーツの競技中にのみ用いるプロテクターの類ならば、パッドが大きくて重くても衝撃吸収性確保のためにやむを得ないが、スキー場でのスキーやスノーボード、或いはスケート場でのスケートなどレジャーとしての雪上遊技や氷上遊技を行う場合、服装はファッション性が重視され、大きく重いパッドを用いた服装は好まれない傾向にある。
【００１０】
また、スキーやスノーボードの合間に、スキーやスノーボードを行った服装のままで、スキー場の食堂やショップに入って食事や買い物をすることがあり、その際、重厚な衝撃保護パッドを用いた服装で行うこともファッション性から抵抗感があり、衣服からパッドが目立たないようにして、普段着のような感覚で着られるスポーツ用衣服が求められている。
【００１１】
しかし、軽量化やパッドを外から目立たないようにするために、従来から用いられている板状のパッドの厚みを単に薄くしても、人体がパッド部分を硬い感触として感じたり、また、関節部位にあるパッドだと、関節を動かすたびに板状のパッドが動きを阻害したりして不快感を感じたりすることがある。
【００１２】
また、板状のパッドを薄くしても、パッドの保形性により、人体の関節の曲げの動きに反して衣服を伸ばす方向に働いてしまい、外から見てもパッドの存在がわかってしまうことになる。
【００１３】
そこで、この発明の課題は、スキー、スノーボード、スケート等、普段の服装に近い格好で行う氷上遊技や雪上遊技用のスポーツ用衣服において、転倒時の衝撃吸収性を確保しつつ、硬いパッドによる不快感や動きの阻害が無く身体にフィットし、また、パッドの重さによる衣服の重量増を防いで軽量で軽快なスポーツ用衣服を提供することにある。
【課題を解決するための手段】
【００１４】
上記のような課題を解決するため、請求項１の発明は、多数個の球状の発泡体を密封した１又は２以上の袋体を、衣服の内側に設けた１又は２以上のポケットに収納している構成を採用したスポーツ用衣服である。
【００１５】
ここで球状の発泡体としては、発泡ポリスチレン（発泡スチロール）が挙げられ、これらを球状として多数用いることで衝撃吸収材料として用いるのである。
【００１６】
請求項２の発明は、請求項１に記載のスポーツ用衣服において、球状の発泡体の平均粒径が０．１ｍｍ〜１ｍｍの範囲内にある構成を採用したものである。
【００１７】
球状の発泡体を細かくすることで、あらゆる凹凸にフィットするようになるが、粒径が細かすぎると動きすぎて発泡体の持つ衝撃吸収性等が失われるので、上記範囲の粒径とするのが好ましい。
【００１８】
請求項３の発明は、請求項１又は２に記載のスポーツ用衣服において、各袋体は複数の部屋に分割して仕切られ、各部屋に発泡体が分散して収納されている構成を採用したものである。
【００１９】
球状の発泡体は袋体の中で自由に移動するので、袋体内で偏りが生じないように分割しした部屋を作って部屋内のみでの移動を許容するようにした。
【００２０】
請求項４の発明は、請求項１乃至３の何れか１項に記載のスポーツ用衣服において、胴部を覆う衣服として用いられ、少なくとも背骨の部位に袋体を収納した構成を採用したものである。
【００２１】
レジャー中の転倒時の背骨（脊椎）への衝撃を、多数の球状の発泡体により緩和するようにした衣服である。
【００２２】
請求項５の発明は、請求項１乃至３の何れか１項に記載のスポーツ用衣服において、腰部を覆う衣服として用いられ、少なくとも尾てい骨の部位に袋体を収納した構成を採用したものである。
【００２３】
レジャー中の転倒時の腰の尾てい骨の骨折等を、多数の球状の発泡体により防止するようにしたものである。
【００２４】
請求項６の発明は、請求項１乃至３の何れか１項に記載のスポーツ用衣服において、頭部に被る帽子として用いられ、少なくとも後頭部の部位に袋体を収納した構成を採用したものである。
【００２５】
レジャー中の転倒による後頭部への衝撃を、多数の球状の発泡体により緩和するようにした帽子である。
【発明の効果】
【００２６】
以上のように、請求項１の発明によると、袋体内の球状の発泡体により従来のパッドと同様の衝撃吸収性を有しつつ、体の凹凸部分に会わせて球状の発泡体が移動することで体に完全にフィットし、従来のＥＶＡ等の板状体を用いたパッドのように硬いパッドの感触を感じるような違和感が無くなる。
【００２７】
また、関節部分の動きに合わせて球状の発泡体が移動して体にフィットし続けるので、体の動きを阻害することも無い。
【００２８】
また、多数の発泡体の粒の集まりで構成されていることで、袋体と同体積の発泡体と比較して粒の隙間の分軽量でありつつ、万が一衝撃を受けた時には、各発泡体の収縮及び移動の両作用により衝撃を分散しやすいので、重量や体積比での衝撃吸収性に優れる。
【００２９】
更に、粒同士の隙間により通気性もあり、従来の板状のパッドのようにパッド部分で人体が蒸れたりすることが無い。
【００３０】
また、ポケットに袋体を収納する方式で袋体を固定するので、ファスナーなどを使った方法に比較して人体を傷つけたりせず、また低コストである。
【００３１】
そして、上記のようにパッド部分を軽量で目立たなくし、しかも関節の動きを阻害しないようにしながら衝撃吸収性を確保することができ、加えて、通気性も有しているので、普段着と同じ感覚で着用でき、パッドの存在が目立たないのでファッション性も阻害することがないスポーツ用衣服とすることができる。
【００３２】
請求項２の発明によると、球状の発泡体の大きさを規定することで、体へのフィット性や衝撃吸収性を最適に調整でき、更には、粒の隙間を調整して通気性にも優れたスポーツ用衣服とすることができる。
【００３３】
請求項３の発明によると、球状の発泡体のある程度の移動は許容しつつ、袋体全体で球状の発泡体を均等に分散させることができ、関節部分等の人体により袋体が押される部分であっても発泡体の厚みが薄くなって衝撃吸収性が低下するといったことが無くなる。
【００３４】
請求項４乃至６の発明によると、転倒時に衝撃を受けやすい人体の肩胛骨、脊髄、肘、膝、尾てい骨などのあらゆる骨部分に当接する位置に上記球状の発泡体を収納した袋体を取り付け、外部からの衝撃を緩和することで、各種骨や急所部分を保護することができる、シャツ、ジャンパー、トレーナー、ジャケット、ズボン、トランクス、帽子、キャップ等各種スポーツ用衣服とすることができる。
【発明を実施するための最良の形態】
【００３５】
以下、この発明の実施の形態を図示例と共に説明する。
【００３６】
図１のように、スポーツ用衣服Ａは、見た目は上着の普段着と同じであり、雪上遊技用として防水性も加味した材質からなる胴部１と、その両側肩部に設けた長袖２からなる上着３に縫製され、この上着３における胴部１の背中の背骨に沿った部位に脊髄保護用として複数箇所、両側の肩部に肩保護用として２箇所、両側の脇部に脇保護用として２箇所、それぞれの箇所にポケット４が設けられ、また、長袖２の肘部分にポケット４が２箇所設けられた構造になっている。
【００３７】
上記ポケット４は、胴部１や長袖２の内側の面に、四角形の布を当てて上側の辺を残して三辺を縫い合わせて構成され、このポケット４の上側の縫い合わせて無い辺の開口部を利用して袋体５を収納するようになっている。
【００３８】
袋体５はポケット４の大きさとほぼ同じ大きさの四角形をしており、ポケット４の内側との摩擦力によりポケット４内に固定されることになるが、ポケット４の開口上辺両側を少し縫い合わせて、開口部を袋体５の一辺より小さくしておき、袋体５を折り畳んで入れてから広げれば、激しく動いてもポケット４から袋体５が外れることがない。
【００３９】
また、袋体５の固定は、上記のようにポケット４に収納する方式を採用し、人体を傷つけるおそれのあるファスナーなどの器具は極力使わないようにするのが好ましい。
【００４０】
図２は袋体５の内部構造を示すものであり、図２（ａ）のように、球状の発泡体６の多数を、ナイロンなどの繊維の細かい布など空気を通す材質からなる布製の袋体５の開口部から入れ、その後袋体５の開口部を縫い合わせて発泡体６を袋体５内に密閉する図２（ｂ）。
【００４１】
なお、この図２（ｂ）のままでも良いが、更に、球状の発泡体６が袋体５内で均等に配置するよう、図２（ｃ）のように縫い糸７により縫い合わせて複数の部屋８に分割し、各部屋８で球状の発泡体６を分割入れておくことで、袋体５内で全体として球状の発泡体６が均一に配置されるようにするようにしても良い。
【００４２】
図３は、スポーツ用衣服の他の例で、このスポーツ用衣服Ｂは、雪上遊技用のズボンに適用したものを示し、このスポーツ用衣服Ｂを構成するズボン本体９は、図１での胴部１や長袖２と同様、雪上遊技用として防水性も加味した材質からなっている。
【００４３】
このズボン本体９の内側には、尾てい骨と接する部分やその他人体を保護するための必要部分にポケット４が設けられて、ポケット４には袋体５が収納されることになる。
【００４４】
なお、ポケット４や袋体５の材質、構造や作用は、図１や図２で示したものと同じであり説明を省略する。
【００４５】
図４は、スポーツ用衣服の他の例で、このスポーツ用衣服Ｃは、雪上遊技用のニットキャップに適用したものを示し、このスポーツ用衣服Ｃを構成するニットキャップ１０は、ニット地からなる伸縮性のある通常の帽子用の材料であり、その内側の、後頭部に接する部分にはポケット４が設けられて、ポケット４には袋体５が収納されることになる。
【００４６】
なお、この例についてもポケット４や袋体５の材質、構造や作用は、図１や図２で示したものと同じであり説明を省略する。
【００４７】
以上、この発明のスポーツ用衣服の実施形態について示したが、この発明は上記実施形態に限定されるものではなく、ポケット４の位置や数は適宜変更して実施でき、また、適用される衣服も、上着、シャツ、ジャンパー、トレーナー、ジャケット、ズボン、トランクス、帽子、ニットキャップに限定されず、手袋、靴下等、人体に装着し衝撃保護の目的のために使用されるものであれば種々のものに適用することができる。
【図面の簡単な説明】
【００４８】
【図１】この発明に係るスポーツ用衣服（上着）の斜視図である。
【図２】この発明に係るスポーツ用衣服に用いる袋体で（ａ）（ｂ）は製造を示す説明図、（ｃ）は他の例の袋体の正面図である。
【図３】この発明に係るスポーツ用衣服（ズボン）の正面図である。
【図４】この発明に係るスポーツ用衣服（キャップ）の縦断側面図である。
【符号の説明】
【００４９】
Ａ，Ｂ，Ｃ    スポーツ用衣服
１    胴部
２    長袖
３    上着
４    ポケット
５    袋体
６    球状の発泡体
７    縫い糸
８    部屋
９    ズボン本体
１０    ニットキャップ
【図１】
2007107176.tif 000003
【図２】
2007107176.tif 000004
【図３】
2007107176.tif 000005
【図４】
2007107176.tif 000006